(57)【要約】【課題】弱電流配線と強電流配線とを確実に分離した施工が容易で、省スペース且つ安全性の高い配線器具を提供することにある。【解決手段】配線器具１は、ＪＩＳで規格化された大角形連用配線器具用の取付枠と略等しい大きさの取付枠５に固定されて壁面に埋込配設され、スイッチ６、商用電源ＡＣ、照明器具７と接続して、商用電源ＡＣからの電力を動作電力として照明器具７の調光レベルを調整する制御信号を出力する。また配線器具１は、後部が壁内に埋設されたスイッチボックスに収納される器具本体２と、信号線Ｌ１が接続される信号線用端子３と、電源線Ｌ２ａ、Ｌ３が接続される電源線用端子４とを備える。信号線用端子３および電源線用端子４は、器具本体２の後方側壁２０において、上下方向の位置が互いに異なるようにして設置されている。【選択図】図１
2010193626.tif 000002
【特許請求の範囲】
【請求項１】
造営面に設けた器具取付孔に後部を収めるようにして配設される器具本体と、弱電流配線が接続される弱電用端子と、強電流配線が接続される強電用端子とを備え、
前記弱電用端子と強電用端子は、器具本体の後方表面において、上下方向の位置が互いに異なる位置に設けられたことを特徴とする配線器具。
【請求項２】
前記弱電用端子と強電用端子は、前記器具本体の後方表面において他の部位よりも前方側に陥没形成された凹部の底壁にそれぞれ設けられたことを特徴とする請求項１記載の配線器具。
【請求項３】
少なくとも上方側に形成された前記凹部の下側壁が、後方に行くほど下方に向けて傾斜した傾斜面を有することを特徴とする請求項２記載の配線器具。
【請求項４】
前記弱電用端子または強電用端子の何れか一方の端子は、施工状態の器具本体における上端近傍に配置され、
該端子の上側には、端子の周囲よりも後方に突出した鍔部が設けられたことを特徴とする請求項１〜３の何れか一項に記載の配線器具。
【請求項５】
前記器具本体は、埋込配線器具用の取付枠に３個まで取着可能な単位寸法の２個分の寸法である２個モジュール寸法に形成されるとともに、前記器具本体の後方表面の上方もしくは下方の何れか一側縁には、強電用端子に接続された強電流配線が配置される配線溝が設けられたことを特徴とする請求項１〜４の何れか一項に記載の配線器具。
【発明の詳細な説明】
【技術分野】
【０００１】
本発明は、電力供給用の強電流配線と、信号線のような弱電流配線が接続される配線器具に関するものである。
【背景技術】
【０００２】
この種の配線器具として、蛍光灯などを光源とする照明器具に接続され、照明器具の点灯、消灯の切替えや、調光レベルの調整を行う調光スイッチがあった（例えば、特許文献１）。
【０００３】
特許文献１に記載の調光器は、配線器具用の取付枠（例えば、ＪＩＳで規格化された大角形連用配線器具の取付枠）に取り付けられ、調光器の本体後部が壁面に埋設されたスイッチボックスに収納される。調光器の表面には、可変抵抗器を操作して照明器具の調光レベルを調整するための調光ハンドルが設けられており、調光ハンドルの操作性を確保するため調光器本体は、取付枠に３個まで取着可能な単位寸法の２個分の大きさ（２個モジュール寸法）に形成されている。
【０００４】
この調光器を施工する場合には、１個モジュール寸法に形成され、照明器具の点灯・消灯を切替えるスイッチが前記取付枠の下側に取り付けられ、調光器とスイッチは電力線によって外部配線される。このように施工することで、照明器具、調光器、およびスイッチが電気的に接続され、照明器具の点灯、消灯の切り替えや、調光レベルの調整を同一のパネル内で操作することができ、操作性が良く、省スペースの配線器具を実現している。
【０００５】
一方、蛍光灯の調光レベルを調整するための制御回路を照明器具本体に設け、信号線を介してパルス副変調信号を出力し、照明器具の調光レベルを調整する調光スイッチもある。この種の配線器具は、使用者の操作に応じて調光信号などの制御信号を出力するための電子回路と、照明器具などの負荷に接続された信号線を接続するための信号用端子（弱電用端子）を備えており、電源用端子（強電用端子）から入力される商用電源を電子回路の動作電力として動作している。
【先行技術文献】
【特許文献】
【０００６】
【特許文献１】特開２００７−２９４２６９号公報
【発明の概要】
【発明が解決しようとする課題】
【０００７】
ところで、電源線のような強電流配線と、信号線のような弱電流配線とをスイッチボックス内で配線器具に接続する場合、強電流配線の外被が傷付いて漏電したときなどに、弱電流配線に強電圧がかかって弱電機器が破損したり、弱電機器を使用するユーザが感電したりする恐れを低減するために、強電流配線と弱電流配線とを分離して配線することが望まれている。
【０００８】
ここで、上述したような制御信号を出力する配線器具においては、強電用端子と弱電用端子が配線器具本体の左右両側に、上下方向の位置がほぼ同じ高さに設けられている。そのため、省スペースを目的として横幅を１連用寸法に形成すると、強電用端子と弱電用端子とが近接して設置されることとなる。また、２連用寸法に形成した場合であっても、同じスイッチボックス内に複数の配線器具を連設すると、配線器具の一方側に設けられた強電用端子と、隣接する配線器具の他方側に設けられた弱電用端子が近接して配置されることになり、弱電流配線と強電流配線とを十分に分離して施工することは困難であった。
【０００９】
本発明は、上記事由に鑑みて為されたものであり、その目的とするところは、強電流配線と弱電流配線とを確実に分離した施工が容易で、省スペース且つ安全性の高い配線器具を提供することにある。
【課題を解決するための手段】
【００１０】
上記目的を達成するために、請求項１の発明では、造営面に設けた器具取付孔に後部を収めるようにして配設される器具本体と、弱電流配線が接続される弱電用端子と、強電流配線が接続される強電用端子とを備え、前記弱電用端子と強電用端子は、器具本体の後方表面において、上下方向の位置が互いに異なる位置に設けられたことを特徴とする。
【００１１】
請求項２の発明では、請求項１記載の発明において、前記弱電用端子と強電用端子は、前記器具本体の後方表面において他の部位よりも前方側に陥没形成された凹部の底壁にそれぞれ設けられたことを特徴とする。
【００１２】
請求項３の発明では、請求項２記載の発明において、少なくとも上方側に形成された前記凹部の下側壁が、後方に行くほど下方に向けて傾斜した傾斜面を有することを特徴とする。
【００１３】
請求項４の発明では、請求項１〜３の何れか一項に記載の発明において、前記弱電用端子または強電用端子の何れか一方の端子は、施工状態の器具本体における上端近傍に配置され、該端子の上側には、端子の周囲よりも後方に突出した鍔部が設けられたことを特徴とする。
【００１４】
請求項５の発明では、請求項１〜４の何れか一項に記載の発明において、前記器具本体は、埋込配線器具用の取付枠に３個まで取着可能な単位寸法の２個分の寸法である２個モジュール寸法に形成されるとともに、前記器具本体の後方表面の上方もしくは下方の何れか一側縁には、強電用端子に接続された強電流配線が配置される配線溝が設けられたことを特徴とする。
【発明の効果】
【００１５】
請求項１の発明によれば、弱電用端子と強電用端子は、器具本体における上下方向の位置をそれぞれ異ならせて設けているので、複数の配線器具を同一のスイッチボックス内に並設させた場合であっても、隣接する配線器具の弱電用端子と強電用端子とが近接して配置されることを回避できる。また、弱電用端子が器具本体の左右方向における何れか一方側に設け、強電用端子を他方側に設ければ、両端子を上下方向における同じ高さで左右両側に配置した従来の配線器具よりも両端子間を遠ざけることができる。これにより、器具本体を１連用寸法に形成しても弱電流配線と強電流配線を分離して配線することが容易になり、省スペースで安全性の高い配線器具を提供することができる。
【００１６】
請求項２の発明によれば、器具本体の後方表面における他の部位よりも前方側に陥没形成させた凹部の底壁に各端子を設けることで、弱電用端子と強電用端子を器具本体の後方に突出する部位で分離することができ、安全性の高い配線器具を提供することができる。
【００１７】
ところで、埋込型の配線器具は、壁に開口する埋込孔内に埋込配設されるため、壁の素材によっては端子の近傍に埃や壁材の欠片が蓄積し、接触不良やトラッキングが発生する可能性があった。
【００１８】
請求項３の発明によれば、端子部の周囲に形成された凹部に傾斜面を設けることで、埃や壁材の欠片は傾斜面に沿って器具本体の下側に落ちていくので、端子部付近には埃や壁材の欠片が蓄積しにくくなり、接触不良やトラッキングを防止して、安全性の高い配線器具を提供することができる。
【００１９】
請求項４の発明によれば、端子部の上側に鍔部を設けることで、端子部付近に埃や壁材の欠片が蓄積しにくくなり、接触不良やトラッキングを防止することができる。また、鍔部を設けることで、何れか一方の端子部を器具本体の上端に設置することが可能となり、さらに各端子間を遠ざけて設けることができ、安全性の高い配線器具を提供することができる。
【００２０】
また、１連用の取付枠に１個モジュール寸法に形成されたスイッチと並設し、スイッチと強電用端子の間を強電流用配線を介して電気的に接続する場合には、配線器具とスイッチとを接続する強電流用配線がスイッチの電源用端子に被さり、配線がしづらい場合があった。
【００２１】
請求項５の発明によれば、上述のような場合であっても、配線器具とスイッチとを接続する強電流用配線を器具本体の下側に設けた配線溝に沿わせて配線することで、スイッチ側に配線を行う際にも強電流用配線が邪魔にならず、容易に施工することができる。
【図面の簡単な説明】
【００２２】
【図１】実施の形態にかかる配線器具を示しており、（ａ）は背面図、（ｂ）は側面図である。
【図２】同配線器具を照明器具と接続した状態を示す概略回路図である。
【発明を実施するための形態】
【００２３】
以下に本発明の実施の形態を図１及び図２に基づいて説明を行う。なお、以下の説明においては、図１（ａ）における上下を配線器具１の上下とし、図１（ｂ）における左右を配線器具１の前後として説明する。
【００２４】
本実施の形態にかかる配線器具１は、図１に示すように、ＪＩＳで規格化された大角形連用配線器具用の取付枠（ＪＩＳ  Ｃ  ８３７５）と略等しい大きさに形成された取付枠５に３個まで取着可能な単位寸法の２個分の大きさ（２個モジュール寸法）に形成されており、配線器具１の側面に設けられた取付爪１２が取付枠５の有する器具取付孔５２と係合して固定されている。取付枠５には１個モジュール寸法に形成された周知のスイッチ６が配線器具１の下側に並設されており、取付枠５の取付孔５１に挿通された固定ねじ（図示せず）によって、壁内に埋設されたスイッチボックス（図示せず）にねじ止めされ、配線器具１およびスイッチ６が壁面に埋込配設される。なお、取付枠５、スイッチ６、および、スイッチボックスについては周知の技術であるので、詳細な説明は省略する。
【００２５】
スイッチ６は、例えば光源として蛍光灯を備える照明器具７と、商用電源ＡＣおよびスイッチ６とが、電源線Ｌ２を介して直列に接続されている（図２を参照）。また、スイッチ６の内部で電源線Ｌ３と電源線Ｌ２ｂが電気的に接続されており、電源線Ｌ２ａ、Ｌ２ｃ、Ｌ３を介して配線器具１、スイッチ６、商用電源ＡＣは直列に接続されている。スイッチ６を使用者が操作することで、照明器具７および配線器具１に供給される電力のオン・オフが切替えられる。
【００２６】
また、配線器具１には商用電源ＡＣからの電力を動作電力として動作する電子回路（図示せず）が内蔵されており、配線器具１の前面に設けられた調光ツマミ１１を使用者が操作することで、電子回路が信号線Ｌ１に調光用のパルス副変調信号が出力される（図１（ｂ）を参照）。ここで、照明器具７は、配線器具１から信号線Ｌ１を介して調光用の信号が入力されると、光源である蛍光灯の調光レベルが調整される。
【００２７】
このようにして、照明器具１およびスイッチ６を用いて、照明器具７の点灯、消灯、および、調光レベルの調整が行える。なお、配線器具１の前面には目盛りなどが印刷などによって記載された化粧パネル１０が取り付けられており、使用者は化粧パネル１０の記載に従って調光ツマミ１１を操作することで、所望の調光レベルに容易に合わすことができる。
【００２８】
また、配線器具１は、上述の電子回路が収納された絶縁性の材料からなる略箱状の器具本体２と、信号線Ｌ１が接続される信号線用端子３と、電源線Ｌ２ａ、Ｌ３が接続される電源線用端子４とを備えている。
【００２９】
器具本体２の後方に形成された後方側壁２０には、器具本体２の前方に陥没形成された凹部２１、２２が、図１（ａ）におけるそれぞれ左上端、右下端に設けられており、信号線用端子３および電源線用端子４は、凹部２１および凹部２２の底壁にそれぞれ設けられている。
【００３０】
後方側壁２０の凹部２１の上側には、凹部２１よりも後方に突出し、且つ、後方側壁２０よりも前方となる高さに形成された鍔部２３が設けられている。また、凹部２１の下側の側壁は、少なくとも鍔部２３の後方先端よりも前方側から、凹部２１の中央部分から遠ざかるにつれて後部下側方向に傾斜した傾斜面２１ａが形成されている。また、後方側壁２０の下側には、器具本体２の前方に陥没形成された配線溝２４が左右方向に沿って設けられ、配線溝２４は凹部２２の下側端と繋がるとともに凹部２２の深さと略同一となるよう形成されている。
【００３１】
信号線用端子３および電源線用端子４は、信号線Ｌ１および電源線Ｌ２ａを保持する機械式の配線保持部（図示せず）をそれぞれ器具本体２に内蔵するとともに、信号線Ｌ１又は電源線Ｌ２ａが挿入される接続用孔３１、４１をそれぞれ備えている。信号線Ｌ１を信号線用端子３に、電源線Ｌ２ａを電源線用端子４にそれぞれ挿入することで、各配線（信号線Ｌ１、電源線Ｌ２ａ）は内蔵された配線保持部に保持され、また、器具本体２の電子回路にそれぞれ接続されて、電子回路に電力を供給するとともに照明器具７に調光用の信号を出力する。
【００３２】
このようにして、接続に用いる信号線用端子３および電源線用端子４が、それぞれ凹部２１、２２に設けられ、各凹部２１、２２よりも後方に突出した後方側壁２０が障壁となって、互いの端子に接続される配線（信号線Ｌ１および電源線Ｌ２ａ）を分離して接続することができる。すなわち、強電流配線である電源線Ｌ２、Ｌ３と、弱電流配線である信号線Ｌ１を分離した施工が容易で、省スペース且つ安全性の高い配線器具を提供することができる。
【００３３】
また、器具本体２の上端側に設けられた凹部２１に鍔部２３が設けられているので、器具本体２の上方向から落下してきた埃や壁材の欠片が信号線用端子３に接触することを防止できる。また、凹部２１は、少なくとも鍔部２３の先端よりも前方から傾斜した傾斜面２１ａが設けられているので、鍔部２３の先端から落下した埃や壁材の欠片を、信号線用端子３よりも下側に落ちやすくしている。これにより、信号線用端子３の付近に埃や壁材の欠片が蓄積することが防止でき、漏電などの恐れを低減することができる。
また、凹部２２の上側には、後方側壁２０が凹部２２よりも後方に突出しているので、埃や壁材の欠片が電源用端子４に接触することを防ぐことができ、安全性を高めることができる。
【００３４】
さらに、器具本体２の前後方向の幅は、スイッチ６の同方向における幅よりも幅広に形成されており、器具本体２とスイッチ６には取付時に段差が生じている。この段差によって電源線Ｌ３の配線が容易にできるとともに、上述した配線溝２４に電源線Ｌ３を沿わせて配線することで、電源線Ｌ３がスイッチ６の接続端子部に被さることを防止でき、容易に電源線Ｌ２を配線することができる。
【００３５】
なお、図１（ｂ）に示すように、信号線Ｌ１、電源線Ｌ２、接続線Ｌ３をそれぞれ接続した後、板状の保護カバー８を器具本体２の後方側壁２０と当接するようにして取り付けるようにしてもよい。このようにすることで、信号線用端子３と電源線用端子４とが確実に分離でき、スイッチケース内に収納する際においても信号線Ｌ１および電源線Ｌ２が接触することなく、容易にスイッチケース内に収納することができる。
【符号の説明】
【００３６】
１          配線器具
２          器具本体
３          信号線用端子（弱電用端子）
４          電源線用端子（強電用端子）
５          取付枠
７          照明器具
２０        後方側壁
Ｌ１        信号線（弱電流用配線）
Ｌ２        電源線（強電流用配線）
【図１】
2010193626.tif 000003
【図２】
2010193626.tif 000004